(57)【要約】ハンドル（３）上に枢動可能に搭載されるインクパッド（１０）用のインクパッド支持体（１１）と、保持腕（５）上に枢動可能に搭載される印刷ブロック（６’）用のスタンプ板（６）とを有し、使用に際して、スタンプ板（６）が印刷ブロック（６’）とともにインク着け位置でインクパッド（１０）上に静置され、スタンプ板（６）またはインクパッド支持体（１１）の幅（ｂ’、ｂ）が、それぞれ、インク着け位置における保持腕（５）と、印刷ブロック（６’）を有するスタンプ板（６）と、インクパッド（１０）を有するインクパッド支持体（１１）との全厚よりも大きい、好適にはペン型である細長スタンプ装置（１）。【選択図】図１
2004500258.tif 000002
【特許請求の範囲】
【請求項１】
ハンドル（３）上に枢動可能に搭載されるインクパッド（１０）用のインクパッド支持体と、保持腕（５）上に枢動可能に搭載される印刷ブロック（６’）用のスタンプ板（６）とを有し、使用に際して、スタンプ板（６）が印刷ブロック（６’）とともにインク着け位置においてインクパッド（１０）上に静置される、好適にはペン型である細長スタンプ装置（１）において、スタンプ板（６）またはインクパッド支持体（１１）の幅（ｂ’、ｂ）が、それぞれ、インク着け位置における保持腕（５）と、印刷ブロック（６’）を有するスタンプ板（６）と、インクパッド（１０）を有するインクパッド支持体（１１）との全厚よりも大きいことを特徴とするスタンプ装置。
【請求項２】
インク着け位置において、保持腕（５）と、スタンプ板（６）と、インクパッド支持体（１１）とを包囲し、開放端がハンドル（３）に追従する、脱着可能な差し込み式のスリーブ（２）が設けられることを特徴とする、請求項１に記載のスタンプ装置。
【請求項３】
スリーブ（２）の横断面が卵形であることを特徴とする、請求項２に記載のスタンプ装置。
【請求項４】
スリーブ（２’）の横断面が矩形であることを特徴とする、請求項２に記載のスタンプ装置。
【請求項５】
スリーブ（２’’）の横断面が２つの曲線部分領域を介して相互結合された２つの平行な部分領域を有することを特徴とする、請求項２に記載のスタンプ装置。
【請求項６】
スタンプ板（６）が保持腕（５）上に偏心搭載され、スリーブ（２）が取り外されたときに重力によって自動的にスタンプ位置内に外側へ向けて枢動することを特徴とする、請求項２から５のいずれか１項に記載のスタンプ装置。
【請求項７】
保持腕（５）上でのスタンプ板（６）の支承には、バネが設けられ、スリーブ（２）が取り外されたときに自動的にスタンプ位置内に外側へ向けて枢動することを特徴とする、請求項２から５のいずれか１項に記載のスタンプ装置。
【請求項８】
スタンプ板（６）の外側枢動位置におけるスタンプ板（６）用の留め具（５’’）が保持腕（５）の一方側に設けられることを特徴とする、請求項６または７に記載のスタンプ装置。
【請求項９】
スタンプ板（６）が、例えば、嵌込接続によって保持腕（５）と脱着可能に接続されることを特徴とする、請求項１から８のいずれか１項に記載のスタンプ装置。
【請求項１０】
印刷ブロック（６’）が１．７から２．３ｍｍの厚さを持つことを特徴とする、請求項１から９のいずれか１項に記載のスタンプ装置。
【請求項１１】
インク着け位置においてインクパッド支持体（１１）の規定する平面がスタンプ装置（１）の長軸と角度、好適にはほぼ直角をなすことを特徴とする、請求項１から１０のいずれか１項に記載のスタンプ装置。
【請求項１２】
インクパッド支持体（１１）の支承にバネ（１６）を設け、スリーブ（２）が取り外されたときにスタンプ位置内へ外側に自動枢動することを特徴とする、請求項１１に記載のスタンプ装置。
【請求項１３】
バネ（１６）が、インクパッド支持体（１１）の枢動軸（１５）上に搭載される脚バネであることを特徴とする、請求項１２に記載のスタンプ装置。
【請求項１４】
インクパッド支持体（１１）の担持腕（１４）が支承ピン（１５）を収容するための長穴（１５’）を有し、長穴の長軸がスタンプ装置（１）の長軸とほぼ垂直に延伸することを特徴とする、請求項１から１３のいずれか１項に記載のスタンプ装置。
【請求項１５】
印刷ブロック（６’）がその長さの１／３より大きな幅の印刷面を有することを特徴とする、請求項１から１４のいずれか１項に記載のスタンプ装置。
【請求項１６】
印刷ブロック（６’）は、幅が９ｍｍより大きく、長さが３５ｍｍより大きく、好適には１４ｍｍの幅と３８ｍｍの長さを持つ印刷面を有することを特徴とする、請求項１から１５のいずれか１項に記載のスタンプ装置。
【請求項１７】
インクパッドの高さが２ｍｍより大きく、好適には３ｍｍに等しいことを特徴とする、請求項１から１６のいずれか１項に記載のスタンプ装置。
【請求項１８】
担持腕（１４）がインクパッド支持体（１１）と脱着可能に接続されることを特徴とする、請求項１から１７のいずれか１項に記載のスタンプ装置。
【請求項１９】
担持腕（１４）がインクパッド支持体（１１）と、例えば、鳩尾形挿入レール（１４’）を介して接続されることを特徴とする、請求項１８に記載のスタンプ装置。
【請求項２０】
挿入レール（１４’）がラッチ用突起（２１）によってインクパッド支持体（１１）と接続されることを特徴とする、請求項１９に記載のスタンプ装置。
【発明の詳細な説明】
【０００１】
【発明の属する技術分野】
本発明は、ハンドルに枢動可能に搭載されたインクパッド用のインクパッド支持体と、保持腕に枢動可能に搭載された印刷ブロック用のスタンプ板とを有し、使用の際には、インク着け位置においてスタンプ板が印刷ブロックと共にインクパッド上に静置される、好適にはペン型である細長スタンプ装置に関する。
【０００２】
【従来の技術】
筆記具内に一体化さえすることも可能な、小型で携帯に便利なペン型スタンプ装置は既知である。これらのスタンプ装置は、しかしながら、スタンプ面積がペン型スタンプ装置の円直径によって制限されるので、非常に狭いスタンプ面積しか有さない。そのため、十分な大きさの幅を有する標準的な私用印章を収容して必要な情報（例えば、名前と住所）を収容しようとすると、ペンの直径がもはや手頃な大きさのスタンプ装置の範囲ではなくなってしまうので、そうした幅を持つ標準的な私用印章を収容することは不可能である。
【０００３】
【発明が解決しようとする課題】
ＣＡ　２　０２８　６１１　Ａでは、ペン型スタンプ装置をキャップにねじ込み可能なこの種の筆記具が記載されている。このスタンプ装置は、実質上、インクパッド用の担持体とスタンプ板とを共に枢動可能に保持腕上に搭載した保持手段からなる。インク着け用あるいは静置用の枢動位置では、インクパッドとスタンプ板は互いに静置し合って、スタンプ装置のペン型となる。しかし、この装置でも、スタンプ板の幅がペンの直径に制限されるので、スタンプ活字の収容能力が非常に制限されることになる。
【０００４】
そこで、本発明の目的は、比較的大きな幅のスタンプ板を有し、そのため、より大きなスタンプ面積を許容し、複数の異なるスタンプ活字が使用可能であるにも拘わらず、使用するのが容易で、なおかつ、使用者の手に収まるスタンプ装置を使用者に提供する、初期規定タイプの細長スタンプ装置を提供することである。
【０００５】
【課題を解決するための手段】
初期規定タイプの本発明のスタンプ装置は、スタンプ板あるいはインクパッド支持体の幅が、それぞれ、インク着け位置において、保持腕と、印刷ブロックを有するスタンプ板と、インクパッド用のインクパッド支持体との全厚よりも大きいことを特徴とする。この結果、概して円形の横断面を持つ既知のスタンプ装置とは異なり、ほぼ扁平な横断面形を有し、ペン型に挿入可能な手頃な形状にも拘わらずより大きな幅のスタンプ面積を可能にし、その結果、実質上記号やスタンプ活字をより多く収容して、例えば、標準的な私用印章を提供できる、細長スタンプ装置となる。使用に際して、スタンプ板とインクパッドは、閉鎖したインク着け位置から開放したスタンプ位置へ移動される。スタンプ位置では、スタンプ板は、スタンプ装置の長軸とほぼ垂直に提供される。
【０００６】
スタンプ装置がその移動中にそのインクで何かを汚すことがないように、また、スタンプ装置をインク着け位置に維持するために、インク着け位置で、保持腕と、スタンプ板と、インクパッド支持体とを包囲し、開放端がハンドルに追従する、脱着可能な差し込み式のスリーブを設ければ好都合である。
【０００７】
優れる取扱性と視覚上魅力的な形状のためには、スリーブの横断面が卵形であれば好適である。
同様に、例えば、好適な積重ねのためには、スリーブの横断面が矩形であれば好都合である。
スリーブの横断面が２つの曲線部分領域を介して相互結合された２つの平行な部分領域を有すれば、スリーブ表面が特に広告印刷に特に適したものとなる。
【０００８】
単純な設計にも拘わらず、使用者ができるだけ自分では何もしなくても良いような操作快適を高くするためには、スタンプ板が保持腕上に偏心搭載され、スリーブが取り外されたときに重力によって自動的にスタンプ位置内へ外側に向けて枢動すれば好都合である。
【０００９】
快適な操作のためには、保持腕上でのスタンプ板の支承にバネを設けて、スリーブが取り外されたときにスタンプ位置内へ外側に向かって自動枢動するようにしても適当である。
スタンプ板が外側に枢動するときにスタンプ板をスタンプ位置で停止させるためには、スタンプ板の外側枢動位置にスタンプ板用の留め具を保持腕の一方側に設けることも好都合である。
【００１０】
スタンプ装置において異なる印刷ブロックを有する異なるスタンプ板を使用可能にするためには、スタンプ板を、例えば、嵌込接続によって保持腕と脱着可能に接続すれば好適である。
インク着けに必要な印刷ブロックへのインクパッドの押圧圧力を達成するには、印刷ブロックが１．７から２．３ｍｍの厚さを持てば好適である。
インクパッド支持体がスタンプ手順を妨げないようにするには、インク着け位置においてインクパッド支持体の規定する平面がスタンプ装置の長軸と鈍角をなせば好都合である。
【００１１】
閉鎖したインク着け位置から開放したスタンプ位置への移行を使用者に対してできるだけ自動的に行うためには、インクパッド支持体の支承にバネを設け、スリーブが取り外されたときにスタンプ位置内へ外側に自動枢動するようにすれば好都合である。
特にスタンプ装置を比較的幅広な形状にするためには、バネが、インクパッド支持体の枢動軸上に搭載される脚バネであれば好都合である。
【００１２】
異なる印刷ブロックの異なる高さを補償するために、また、そうしてインク着け位置においてインクパッド上に印刷ブロックを均一に確実に支持するためには、インクパッド支持体のインクパッド支持腕が支承ピンを収容するための長穴を有し、長穴の長軸がスタンプ装置の長軸とほぼ垂直に延伸すれば好適である。
【００１３】
複数の異なるモチーフを印刷可能なスタンプ領域であるには、印刷ブロックがその長さの１／３より大きな幅の印刷面を有すれば好適である。
標準的な大きさを持つ私用印章を用いるためには、印刷ブロックは、幅が９ｍｍより大きく、長さが３５ｍｍより大きく、好適には１４ｍｍの幅と３８ｍｍの長さを持つ印刷面を有すれば好都合である。
インク容器にインクを再充填することなしに何枚もの印刷を得るには、インクパッドの高さが２ｍｍより大きく、好適には３ｍｍに等しければ適当である。
【００１４】
比較的肉厚のインクパッドにも拘わらず、何回かの印刷手順後にインク容器からインクを使い切ってしまい、それによってスタンプ装置はもはや使用できなくなるか、あるいは、限定的な範囲でのみ使用できるだけとなる。インク瓶を用いた再浸潤は品質のより劣った印影となることが多いので、担持腕がインクパッド支持体に脱着可能に接続され、パッドの簡単な交換を可能にして、スタンプ装置の長期使用を可能にすれば好都合である。
【００１５】
この脱着可能な接続は、例えば、鳩尾形の挿入レール経由で担持腕をインクパッド支持体に接続すれば、特に簡単で安価な方法で実現できる。
インクパッド支持体において縦方向にレールを固定するためには、ラッチ用突起によって挿入レールをインクパッド支持体に接続すれば好適である。
【００１６】
【発明の実施の形態】
以下において、本発明は、図面に示された好適で代表的な実施例によってより詳細に説明されるが、本発明はこれらの実施例に限定されるものではない。
図１は、スリーブ２を有するスタンプ装置１の斜視図を示す。３’において、スタンプ装置１のハンドル３はスリーブ２の前部側開放端に接する。スリーブ２は、例えば、スタンプ装置１を胸ポケットに入れる際に役立つクリップ４を有する。
【００１７】
図１ａでは、差し込み式スリーブの異なる横断面の概略が示されており、差し込み式スリーブ２は楕円状の横断面を有する。更に好適な実施例は、矩形横断面２’や、２つの平行縁と１つの円の２つの区分とからなる長穴状横断面２’’を有する。横断面形状２、２’及び２’’は全て、幅Ｂが厚さＤより大きいので、優れる取扱性と共に、大きなスタンプ面積を達成するという特徴を共有する。
【００１８】
図２は、閉鎖したインク着け位置におけるスタンプ装置１の斜視図を示し、スリーブ２は省略されている。ハンドル３に続くのが保持腕５であり、スタンプ板６は、スタンプ装置１の縦方向を横切って延伸する軸８を中心に枢動可能なように保持腕５に搭載される。枢動搭載を実現するため、スタンプ板６の掴み部７（嵌込突起を有する）は保持腕５の軸８を有し、その軸が保持部５の凹部９に設けられる。この結果、枢動しやすく取り外しも良好な実装となり、異なるスタンプ板６を簡単に交換したり挿入したりすることが可能になる。スタンプ板６に接着した印刷ブロック６’は、インクパッド支持体１１に接着したインクパッド１０に対して面接点を有する。スリーブ２とハンドル３の間の積極的な嵌合及び摩擦による係合のために、ハンドル３には、閉鎖状態において、スリーブ２の内側の対応する溝（図示せず）に嵌め込むビード１２が設けられる。
【００１９】
図３は、閉鎖したインク着け位置におけるインクパッド１０とスタンプ板６を有するスタンプ装置１の側面図を示し、スタンプ板６に接着した印刷ブロック６’がインクパッド１０の全面に静置されている。インクパッド１０はインクパッド支持体１１に接着する。インクパッド支持体１１は、例えば、その後部側１１’に十字形配列（図４参照）の補強リブ１３を有する。フォーク状担持腕１４を介して、インクパッド支持体１１は支承ピン１５を中心に枢動可能なようにハンドル３に接続される。さらにまた、担持腕１４には長穴１５’が破線で示すように挿入されるので、インク着け位置にあるインクパッド支持体１１は、スタンプ装置１の縦方向と垂直に僅かな遊びを有する。こうして異なる厚さの印刷ブロック６’が可能になる。
【００２０】
図４では、インクパッド支持体１１をフォーク状インクパッド支持腕１４を介してハンドル３に蝶着されていることが上面図で分かる。さらにまた、バネ１６がインクパッド支持腕１４の２つのフォーク腕間に見られ、それによって、スリーブ２が取り外されると、インクパッド支持体１１は外側に自動枢動する。図４の図面では、スタンプ装置１の幅広面が楕円横断面を有して示されており、インクパッド支持体１１の幅ｂは、円形横断面を有するスタンプ装置におけるものよりも大きくできる。
【００２１】
図５は、スタンプ板６の後部側６’’でのスタンプ装置１の図を示す。本例では、保持腕５の軸８上の掴み部７の助けをかりてスタンプ板６を脱着可能に支承していることが分かる。構造をできるだけ小型にするために、保持腕５は、掴み部７が軸８と係合できるようにする開口９を有する。図５においても、スタンプ装置１の幅広面が示されており、スタンプ板６の幅ｂ’が特にはっきりと見られ、円形のペン型スタンプ装置と比べて大きくなっている。
【００２２】
さらに図７から伺えるように、保持腕５の前方端は５’において一方が丸められ、スタンプ板６の枢動を可能にする一方、１つのリムに対して留め具５’’を形成してスタンプ板６の枢動移動の限界を定めている。
図６では、スタンプ装置１の概略横断面が閉鎖したインク着け位置で示されているが、スリーブ２をその上に滑らせており、印刷ブロック６’がインクパッド１０と接触して、その結果、印章活字のインク着けが行われていることが分かる。インクパッド支持体１１は、半楕円形の横断面を有するので、スリーブ２は、その上を一旦摺動させると、インクパッド支持体１１に圧力を加えて、それをスタンプ板６に対して押し付けることができる。さらにまた、スリーブ２はインクパッド支持体１１をインクパッド１０とともに、また、保持腕５をスタンプ板６とともに完全に取り囲んでいることが分かる。
【００２３】
図７では、スタンプ装置１は開放したスタンプ位置で示される。スリーブ２をハンドル３から取り外した後、保持腕５に搭載したスタンプ板６を図７の矢印で示す水平位置に枢動するが、これはスタンプ板６上の掴み部７の偏心配置によって達成されるので、スタンプ装置を図７に示す位置に保持する時、スタンプ板６は、図示のように、留め具５’’で阻止されるまで重力によって単純に下方に枢動する。この水平位置では、印刷ブロック６’は、保持腕５に対してほぼ垂直な位置にあるので単純に基板上に押し付けられうる。バネ負荷が与えられるので、インクパッド支持体１１は、スタンプ手順を邪魔しないように回転軸１５を中心に上方に枢動することになる。このインクパッド支持体の自動的な外側枢動は、図４に示すバネ１６によって達成される。
【００２４】
スタンプ装置１は、簡単な方法、つまり、１本の指でスタンプ板６の後部側６’を押してインクパッド支持体１１の後部側１１’を押す毎に閉鎖したインク着け位置に復帰しても良い。その場合、これら２つの部分６及び１１は、それぞれ平行で相互接触するインク着け位置に復帰される。インク着け位置に固定するには、ハンドル３上のビード１２上に嵌め込むまでスリーブ２を摺動させる。
【００２５】
図８では、交換可能なレール１４’を有するインクパッド支持体１１が示され、その上には、インクパッド支持体１１のフォーク状担持腕１４が単体で取り付けられている。このようにすると、インクパッド１０（図６も参照）を収容するための矩形窪み１０’も示されている。さらに、スリット状凹部１７’’もフォーク状担持腕１４付近のインクパッド支持体１１の本体に示されており、脚バネとして設計されるバネ１６（図１２も参照）の脚を収容するのに役立つ。
【００２６】
図９及び１１では、横断面が鳩尾形のレール１４’がインクパッド支持体１１におけるその挿入位置に見える。インクパッド支持体１１の凹部１７にレール１４’を挿入しやすくするため、レール１４’は、その始動領域にスロット１８を有し、凹部１７での挿入をしやすくできるように同時に押圧可能な２つの弾性舌１９が形成される。さらに、図９によるレール１４’は、その先頭側にビード１９を有して、凹部１７でのレール１４’の摩擦係合を確実に強化する。
【００２７】
図１０では、図９に幾分変更を加えたレール１４’がインクパッド支持体１１におけるその挿入位置に示されており、レール１４’は、２つの弾性舌１９の端部にあるその先頭領域において、拡大凹部１７’内に嵌め込むラッチ用フック２１を有し、それによってレール１４’を凹部１７に軸方向に対して固定する。インクパッド支持体１１を交換するには、２つの舌１９を互いに向かって押圧してラッチ用フック２１を凹部１７’から外すように動かさなければならない。
【００２８】
図１１は、図９の線ＸＩ−ＸＩによる概略斜視断面図を示す。本例では、インクパッド支持体１１の凹部１７とレール１４の間に積極的な嵌合や摩擦による接続を可能にする鳩尾形のレール１４’を見ることができる。さらにまた、レール１４’挿入時に担持腕１１の遊びを提供する間隙状の凹部１７’’が担持腕１４付近に見られる。また、インクパッド１０（図６参照）を収容するための枠状凹部１６も見られる。
【００２９】
図１２には、外側枢動されるインクパッド支持体１１を有するスタンプ装置１の横断面を示す。インクパッド支持体１１は、レール１４’上を摺動されるので、インク不足時には簡単に交換することができる。断面図では、担持腕１４の２つのフォーク腕の間に設けられた脚バネ１６も見える。スリット状の凹部１７’’（図１１参照）に係合する一方のバネ脚１６’の接触によって、脚バネ１６はインクパッド支持体１１に巻き取られ、ハンドル３上にある他方のバネ脚１６’’の接触によってインクパッド支持体１１はインク着け位置に枢動する。スタンプ装置１の相対的に幅広な横断面形によって、脚バネ１６は問題なく担持腕１４の２つのフォーク腕の間に収容できるが、円形横断面の肉薄のスタンプ装置の場合には、利用可能な空間が狭いために脚バネを収容するために別個の軸を設けなければならない。
【００３０】
さらにまた、図１２では、担持腕１５に長穴１５’が見える。長穴１５’はインク着け位置において異なる印刷ブロック厚を補償するのに役立つ（図３参照）。
【図面の簡単な説明】
【図１】
スリーブを有する静置位置にある閉鎖したスタンプ装置の斜視図を示し、図１ａは扁平化されたスタンプ装置の異なる横断面形状の概略を示す図である。
【図２】
スリーブは省略されているが、それぞれ、閉鎖した静置あるいはインク着け位置にあるスタンプ装置の斜視図を示す。
【図３】
閉鎖したインク着け位置にあるスタンプ装置の側面図を示す。
【図４】
閉鎖したインク着け位置におけるインクパッド支持体後部側でのスタンプ装置の図を示す。
【図５】
閉鎖したインク着け位置におけるスタンプ板後部側でのスタンプ装置の図を示す。
【図６】
閉鎖したインク着け位置におけるスリーブを有するスタンプ装置の横断面を示す図である。
【図７】
開放したスタンプ位置におけるスタンプ装置の側面図を示す。
【図８】
交換可能なインクパッド支持体の斜視図を示す。
【図９】
挿入レールを有するインクパッド支持体後部側での図を示す。
【図１０】
ラッチ用フックを有するレールを有するインクパッド支持体後部側での図を示す。
【図１１】
図９のＸＩ−ＸＩ線による斜視断面図を示す。
【図１２】
レール上を摺動させたインクパッド支持体を有するスタンプ装置の概略横断面図を示す。
【国際公開パンフレット】
2004500258.tif 000003
2004500258.tif 000004
2004500258.tif 000005
2004500258.tif 000006
2004500258.tif 000007
2004500258.tif 000008
2004500258.tif 000009
2004500258.tif 000010
2004500258.tif 000011
2004500258.tif 000012
2004500258.tif 000013
2004500258.tif 000014
2004500258.tif 000015
2004500258.tif 000016
2004500258.tif 000017
2004500258.tif 000018
2004500258.tif 000019
2004500258.tif 000020
2004500258.tif 000021
2004500258.tif 000022
2004500258.tif 000023
2004500258.tif 000024
2004500258.tif 000025
2004500258.tif 000026
2004500258.tif 000027
2004500258.tif 000028
【国際公開パンフレット（コレクトバージョン）】
2004500258.tif 000029
2004500258.tif 000030
【国際調査報告】
2004500258.tif 000031
2004500258.tif 000032
2004500258.tif 000033
2004500258.tif 000034
2004500258.tif 000035
2004500258.tif 000036